(57)【要約】【課題】発注経験の少ない者であっても適切な書体やレイアウトの印面を注文することができる印面のインターネット受発注システムを提供する。【解決手段】印判のメーカー側のサーバ１０と発注者側の端末１１とを接続し、インターネット回線１２を通じて印面の受発注を行うシステムである。サーバ１０には、過去の受注実績データに基づき生成された氏名別のレイアウト統計データベース１５と、発注者側の端末１１からアクセスを受けたとき、その氏名についてのレイアウト統計データを読み出し、発注者側の端末１１の画面にレイアウト別の販売状況を表示するレイアウト統計表示手段１４が搭載されている。さらに、その氏名についての書体の統計データを表示することができる。【選択図】図１
2020181377.tif 000002
【特許請求の範囲】
【請求項１】
メーカー側のサーバと発注者側の端末とを接続し、インターネット回線を通じて印面の受発注を行うシステムであって、
メーカー側のサーバには、過去の印面の受注データに基づき生成された氏名別の印面文字のレイアウト統計データベースと、
発注者側の端末からアクセスを受けたとき、前記レイアウト統計データベースからその氏名に対するレイアウト統計データを読み出し、発注者側の端末の画面上でレイアウト別の販売状況を表示するレイアウト統計表示手段とが搭載されていることを特徴とする印面のインターネット受発注システム。
【請求項２】
メーカー側のサーバに、過去の印面の受注データに基づき生成された氏名別の書体統計データベースと、
発注者側の端末からアクセスを受けたとき、その氏名を各種の書体で表示した書体選択画面を発注者側の端末画面に表示する書体表示手段と、
前記書体統計データベースからその氏名についての書体の統計データを読み出し、発注者側の端末の画面に、前記書体表示手段による端末画面への表示を伴って書体別の販売状況を表示する書体統計表示手段が搭載されていることを特徴とする請求項１に記載の印面のインターネット受発注システム。
【請求項３】
メーカー側のサーバは、受注された印面の仕様が確定したとき、印面加工機に加工指示を送る加工指示手段を備えることを特徴とする請求項１または２に記載の印面のインターネット受発注システム。
【発明の詳細な説明】
【技術分野】
【０００１】
本発明は、印面をインターネット回線を通じて受発注する印面のインターネット受発注システムに関するものである。
【背景技術】
【０００２】
インターネット回線を通じて印面の受発注を行うシステムは、特許文献１に示されるように従来から既存のサービスとして普及している。この特許文献１のシステムを利用して自分の印面を発注しようとする発注者は、端末に表示された注文画面上で印面の文字（氏名）、レイアウト、書体、インク色などを個々に指定することとなる。
【０００３】
しかし多くの利用者にとっては、印面作成の経験は少ないか初めてであることから、特に最適なレイアウトや書体を選択することは容易ではなく、インターネット注文の場合、店舗（判子屋・印判店）のように対面して適切なアドバイスを受けることもできない。このためインターネットで発注する場合には、発注した印面が届いてから、印面のレイアウトや書体が不適切であったと後悔することとなる可能性がある。
【０００４】
そこで特許文献２に記載されているように、過去のメーカー受注実績より印面内容を様々な書体で表示した印面見本を提示することも提案されているが、どの書体を選択するかは、全て発注者の判断に任されているので、上記と同様の問題が残されている。
【０００５】
なお、衣料品などの流行商品については、特許文献３に示されるように、商品画像とともに売行き情報を画面に表示することが行われている。しかし流行商品ではない印判についてはそのような例は知られていない。
【先行技術文献】
【特許文献】
【０００６】
【特許文献１】特開２０１６−１３９２０５号公報
【特許文献２】特開２０１３−２５７８５４号公報
【特許文献３】特開２０１０−０５５３９１号公報
【発明の概要】
【発明が解決しようとする課題】
【０００７】
従って本発明の目的は上記した従来の問題点を解決し、発注経験の少ない者であっても適切なレイアウトや書体の印面を注文することができる印面のインターネット受発注システムを提供することである。
【課題を解決するための手段】
【０００８】
上記の課題を解決するためになされた本発明の印面のインターネット受発注システムは、メーカー側のサーバと発注者側の端末とを接続し、インターネット回線を通じて印面の受発注を行うシステムであって、メーカー側のサーバには、過去の印面の受注データに基づき生成された氏名別の印面文字のレイアウト統計データベースと、発注者側の端末からアクセスを受けたとき、前記レイアウト統計データベースからその氏名に対するレイアウト統計データを読み出し、発注者側の端末の画面上で、氏名別にレイアウトの販売状況を表示するレイアウト統計表示手段とが搭載されていることを特徴とするものである。
【０００９】
なお、メーカー側のサーバに、過去の印面の受注データに基づき生成された氏名別の書体統計データベースと、発注者側の端末からアクセスを受けたとき、その氏名を各種の書体で表示した書体選択画面を発注者側の端末画面に表示する書体表示手段と、前記書体統計データベースからその氏名についての書体の統計データを読み出し、発注者側の端末の画面に、前記書体表示手段による端末画面への表示を伴って書体別の販売状況を表示する書体統計表示手段とが搭載されていることが好ましい。またメーカー側のサーバは、受注された印面の仕様が確定したとき、製印面の加工機に加工指示を送る加工指示手段を備えることが好ましい。
【発明の効果】
【００１０】
本発明の印面のインターネット受発注システムによれば、メーカー側のサーバが発注者側の端末からアクセスを受けたとき、レイアウト統計データベースからその氏名についての印面文字のレイアウト統計データを読み出し、発注者側の端末の画面にレイアウト別の販売状況を表示することができる。このため氏名別にどのようなレイアウトの印面が良く売れているのかという販売トレンドを知ることができ、発注経験の少ない者であっても適切なレイアウトの印面を注文することができる。
【００１１】
また、発注者側の端末の画面に書体別の販売状況を表示するようにしておけば、氏名別にどのような書体の印面が多く利用されているのかというトレンドを知ることができ、発注経験の少ない者であっても適切な書体の印面を注文することができる。
【００１２】
さらにメーカー側のサーバに受注された印面の仕様が確定したとき、印面加工機に加工指示を送る加工指示手段を搭載しておけば、注文通りの印面を正確にかつ迅速に製造することができる。
【図面の簡単な説明】
【００１３】
【図１】本発明の印面のインターネット受発注システムの全体構成図である。
【図２】代表的な印面文字のレイアウトを示す図である。
【図３】各種書体の印面を示す図である。
【図４】書体表示手段で代表的な氏名苗字である「佐藤」を表示した表示画面を示す図である。
【図５】書体統計表示手段により、書体表示手段による端末画面への表示に伴って画面に表示された書体別の印影及び販売状況を表示した表示画面を示す図である。
【発明を実施するための形態】
【００１４】
以下に本発明の好ましい実施形態を説明する。
図１は実施形態の印面のインターネット受発注システムの全体構成図であり、１０はメーカー側のサーバ、１１はインターネット回線１２を介してサーバ１０に接続された発注者側の端末である。
【００１５】
図１に示したように、メーカー側のサーバ１０には、入力処理手段１３、レイアウト統計表示手段１４、レイアウト統計データベース１５、書体表示手段１６、印面生成手段１７、書体データベース１８、書体統計表示手段１９、書体統計データベース２０、印面受注用データベース２１、加工指示手段２２、が搭載されている。なお、上記した各データベースはサーバ１０の外部の記憶装置に収納することもできる。２３はサーバ１０の加工指示手段２２の指示を受けて受注した印判の印面を加工する印面加工機であり、本実施例では、レーザ加工機で説明する。レーザ加工機２３はインターネット回線１２を介して任意の場所に設置することもできる。なお、印面加工機は、レーザ加工機に限定されず、例えば、サーマルヘッドの発熱素子をビットマップデータに対応させて選択的に作動させ、サーマルヘッドに密着させた多孔質印体の表面を加熱溶融させて非捺印部を形成することにより、印面を自動的に形成する装置であるサーマル加工機など幾多の形態が考えられる。
【００１６】
印面の発注者は端末１１からメーカー側のサーバ１０にアクセスし、印面注文画面を開き、印面に表示する氏名、印面サイズ等を入力する。量産された既製品の印面でよければ印面注文画面で発注して終了であるが、本発明のシステムは発注者の細かな要望に応じて書体やレイアウトを設定できる別注システムであるから、以下に詳しく説明する。
【００１７】
発注者が別注品の注文画面を開くと、サーバ１０のレイアウト統計データベース１５からその氏名についての印面文字のレイアウト統計データが読み出される。ここで印面文字のレイアウトについて説明する。図２は代表的な印面文字のレイアウトを示す図であり、業界においては左側から順に、「２」、「斜左下」、「斜右下」、「２並」、「１子」、「１（子）」等と呼ばれるレイアウトである。
本発明において、氏名とは、人名を構成する氏又は名、若しくはそれらを結合させた文字のことをいう。
【００１８】
「２」は氏を上下に配置したもの、「斜左下」は２字目を１字目の斜左下に配置したもの、「斜右下」は２字目を１字目の斜右下に配置したもの、「２並」は横に配置したものである。このほか、ありふれた氏の場合には同性の他人と区別するために名の一字を氏の下に小さく表示することがあり、「１子」は名を下に付けたもの、「１（子）」は名の一字をカッコつきで表示したものである。図２では氏が２文字の場合のレイアウト表示画面を例示しており、氏の一文字目を(1)、氏の二文字目を(2)、名の一文字目を(3)で表記している。氏が３文字以上の場合にも同様に各種のレイアウトを設定することが出来る。
【００１９】
メーカーには氏名ごとにどのレイアウトの注文が多くあったかを示すデータが蓄積されている。例えば代表的な氏である「佐藤」については、「２」が７０％、「２並」が１０％、「２子」が５％、「２（子）」が３％、「斜左下」が２％、「斜右下」が０％となっている。
メーカー側サーバには、印面受注用データベース２１中に操作履歴データベース２１ａが備えられており、印面発注の際の、氏名入力・インク色選択・レイアウト選択・書体選択などの操作履歴は、操作履歴データベース２１ａに、利用者ごとに蓄積されている。利用者ごとに蓄積された前記操作履歴に関するデータは、氏名判別手段及び統計手段（図示せず）などのアルゴリズムにより、過去の印面の販売データに基づいた氏名別のレイアウト統計として生成され、前記レイアウト統計データベース１５に蓄積されている。
このような過去の印面の販売データに基づき生成された氏名別のレイアウト統計がレイアウト統計データベース１５に蓄積されているので、レイアウト統計表示手段１４が発注者の氏名についてのデータを発注者側の端末１１に表示する。発注者は表示されたレイアウト別の販売状況を参考にしながら、適切な印面文字のレイアウトを決定することができる。
【００２０】
また、レイアウト別の販売状況を表示する方法は、本実施例の図２の様に各レイアウト別に販売割合（％）の表示を行う形式に限られず、販売割合（％）に応じ、レイアウトの表示を大きくしたり、強調したり、注文が多い順に並べ替えたり、選択的に表示させるものであっても良く、これらの表示形式を組み合わせるものであっても良い。図３は、販売割合（％）に応じ、人気のレイアウトの表示を「人気No.1」などの文字により、強調して表示したものである。なお図３も、図２と同様に、氏が２文字の場合のレイアウト表示画面を例示しており、氏の一文字目を(1)、氏の二文字目を(2)、名の一文字目を(3)で表記している。氏が３文字以上の場合にも同様に各種のレイアウトを設定することが出来る。
【００２１】
書体が標準書体でよい場合には以上の段階で発注終了としてもよいが、他の書体を含めて選択したい場合には、書体選択に進む。先ず印面生成手段１７が発注者の氏名と書体データベース１８に収納されている書体（フォント）から各種の書体の印面の図形を生成し、書体表示手段１６が発注者側の端末１１に表示する。書体表示手段１６で代表的な氏名である「佐藤」を表示した表示画面の例を図４に示す。図４では９種類の書体が示されている。
前記書体表示手段１６で表示した表示画面は、図４で示すような形態に限られず、後述する書体の統計データに応じて、表示する書体の順序を並べ替えたり、書体の表示の大きさを変化させたり、強調したり、選択的に表示させるものであっても良く、これらの表示形式を組み合わせるものであっても良い。
【００２２】
印面のメーカーには氏名ごとにどの書体の注文が多くあったかを示すデータが蓄積されており、代表的な氏名である「佐藤」を例とすると、楷書体が７０％、古印体が１５％、行書体が５％、角ゴシック体が３％、篆書体が２％、隷書体が２％、明朝体が２％、勘亭流が１％となっている。
なお、氏名の文字数や画数によっても好まれる書体は異なるので、ここに記載した数値は一例である。
【００２３】
メーカー側サーバには、印面受注用データベース２１が備えられており、印面発注の際の、氏名入力・インク色選択・レイアウト選択・書体選択などの操作履歴が、操作履歴データベース２１ａに、利用者ごとに蓄積されている。利用者ごとに蓄積された前記操作履歴に関するデータは、氏名判別手段及び統計手段（図示せず）などのアルゴリズムにより、過去の印面の販売データに基づいた氏名別の書体統計として生成され、前記書体統計データベース２０に蓄積される。
【００２４】
書体統計表示手段１９は、書体統計データベース２０から発注者の氏名について蓄積された書体の統計データを、前記書体表示手段１６による端末画面への表示を伴って、発注者側の端末１１に表示する手段である。発注者は、前記書体統計表示手段１９により、前記書体表示手段１６による端末画面への表示を伴って表示された書体別の印影及び販売状況（図５）を見ながら、適切な書体を選択し決定することができる。
また、書体別の販売状況を表示する方法は、氏名ごとに、各書体別に販売割合（％）の表示を行う形式に限られず、特定の氏名において、販売割合（％）に応じ、レイアウトの表示を大きくしたり、強調したり、注文が多い順に並べ替えたり、選択的に表示させるものであっても良く、これらの表示形式を組み合わせるものであっても良い。
【００２５】
このようにしてレイアウトと書体が決定されたら、必要に応じて印判のインクの色を選択し、発注を確定する。確定された印面は発注者側の端末１１に大きく表示される。
【００２６】
また、本実施形態には示していないが、メーカー側サーバ１０は、レイアウト統計表示手段１４、書体統計表示手段１９に加え、インク色統計表示手段を備えていても良い。
インク色統計表示手段は、氏名ごとにインク色の注文が多くあったかを示すデータを基に生成された氏名別のインク色統計が蓄積されたインク色統計データベースから、発注者の氏名についてのデータを発注者側の端末１１に表示するものである。
【００２７】
印面のデータは二値化された版下のビットマップデータであり、メーカー側サーバの印面受注用データベース２１の印面データベース２１ｂに蓄積されている。前記印面データは、加工指示手段２２を通じて公知のレーザ加工機２２に送られる。レーザ加工機２２は前記版下ビットマップデータに対応させてレーザの出力を選択的に、作動させて印面を自動的に形成する装置である。
【００２８】
具体的には、レーザ加工機２３には、印面加工制御プログラムが備えられている。レーザ加工機２３は、前記加工指示手段２２から指示を受け取ると、前記印面加工制御プログラムは、前記版下ビットマップデータを解析し、版下文字部分の外側に拡がり角度を付加した実行ファイルを作成する。続いてレーザ加工機２３は、前記実行ファイルを元に、印材であるポーラスゴムシートを多段階に段差を彫り込んで、版下文字部分の外側に拡がり角度が表現された捺印部を作成する。次に、レーザ加工機２３から、彫刻後のポーラスゴムシートを取り出し、洗浄機にてポーラスゴムシート表面及び内部を洗浄し、ゴム屑やカーボン屑を除去する。次に、乾燥機にてポーラスゴムシートを乾燥させた後、抜き型で所要の形状に切り取り、インキ含浸機にてインキを含浸させ、これをホルダーに組み付ければ、多孔性印字体を有する印判が完成する。レーザ加工機２３には印面のデータとともに発注者を特定するデータも送られるので、比較的短い納期で注文通りの印判を製造し、発注者に届けることが可能となる。
【００２９】
なお、印判メーカーは、メーカー側サーバ１０の他に、サーバを別途設け、前記の別途設けたサーバに加工指示手段を備えさせ、前記加工指示手段から、レーザ加工機に加工指示を与えて印面作成を行わせる形態としても良い。
【００３０】
以上に説明したように、本発明の印面のインターネット受発注システムによれば、発注経験の少ない者であっても、印面に形成される氏名に応じた適切なレイアウトや書体の印判を注文することができる。前記したように、書体を標準書体である楷書とする場合には、書体の選択工程を省略することも可能である。
【符号の説明】
【００３１】
１０  メーカー側のサーバ
１１  発注者側の端末
１２  インターネット回線
１３  入力処理手段
１４  レイアウト統計表示手段
１５  レイアウト統計データベース
１６  書体表示手段
１７  印面生成手段
１８  書体データベース
１９  書体統計表示手段
２０  書体統計データベース
２１  印面受注用データベース
２２  加工指示手段
２３  レーザ加工機
【図１】
2020181377.tif 000003
【図２】
2020181377.tif 000004
【図３】
2020181377.tif 000005
【図４】
2020181377.tif 000006
【図５】
2020181377.tif 000007